(57)【要約】【課題】広告装置の提供。【解決手段】コントローラー、ディスプレーパネル、リーダー、電子タグを含む。該コントローラーは広告内容情報とそれが対応する電子タグ情報を同時に受信することができ、該ディスプレーパネルは広告内容情報を表示することができる。該リーダーは該コントローラーからの電子タグ情報を受信し、該電子タグ情報を電子タグに書き込むことができる。こうして使用者は携帯式装置を通して電子タグ内の電子タグ情報を読み取り、広告内容情報に関する情報を得ることができる。広告内容に変更がある時には、電子タグ情報も同期に更新される。【選択図】図３
2009157332.tif 000002
【特許請求の範囲】
【請求項１】
コントローラー、ディスプレーパネル、リーダー、電子タグを含み、
該コントローラーは広告内容情報とそれが対応する電子タグ情報を同時に受信することができ、
該ディスプレーパネルは該コントローラーから該広告内容情報を受信し、該広告内容情報を表示することができ、
該リーダーは該コントローラーからの電子タグ情報を受信し、該電子タグ情報を電子タグに書き込むことができることを特徴とする広告装置。
【請求項２】
前記電子タグ情報は電子タグIDとリンクパラメーターを含むことを特徴とする請求項１記載の広告装置。
【請求項３】
前記コントローラーが該広告内容情報と該電子タグ情報を受信する方式は、デジタル放送、無線点対点伝送、或いはインターネットであることを特徴とする請求項１記載の広告装置。
【請求項４】
前記リーダーはRFIDリーダーで、しかも該電子タグはRFID電子タグであることを特徴とする請求項１記載の広告装置。
【請求項５】
前記電子タグと該リーダーは無線電波で相互に情報を伝送することを特徴とする請求項４記載の広告装置。
【請求項６】
前記ディスプレーパネルが表示する該広告内容情報と該電子タグ中の該タグ情報は同期に更新されることを特徴とする請求項１記載の広告装置。
【請求項７】
前記使用者は携帯式装置を通して該電子タグ情報を読み取ることを特徴とする請求項１記載の広告装置。
【請求項８】
前記携帯式装置は通信ユニット、リーダーモジュールを含み、
該通信ユニットはインターネットに連結することができ、
該リーダーモジュールは該電子タグ内部の該電子タグ情報を読み取ることができ、該電子タグ情報を該通信ユニットに伝送することを特徴とする請求項７記載の広告装置。
【請求項９】
前記通信ユニットは電子タグ情報により、インターネットを通して該広告内容情報に対応する関連データをダウンロードすることを特徴とする請求項８記載の広告装置。
【請求項１０】
コントローラー、ディスプレーパネル、タグエミュレーターを含み、
該コントローラーは広告内容情報とそれが対応する電子タグ情報を同時に受信することができ、
該ディスプレーパネルは該コントローラーから該広告内容情報を受信し、該広告内容情報を表示することができ、
該タグエミュレーターは該電子タグ情報を該コントローラーから受診し、保存することができることを特徴とする広告装置。
【請求項１１】
前記電子タグ情報は電子タグIDとリンクパラメーターを含むことを特徴とする請求項１０記載の広告装置。
【請求項１２】
前記コントローラーが該広告内容情報と該電子タグ情報を受信する方式は、デジタル放送、無線点対点伝送、或いはインターネットであることを特徴とする請求項１０記載の広告装置。
【請求項１３】
前記タグエミュレーターはマイクロコントローラー、電源制御ユニット、モジュレーター、デモジュレーター、アンテナを含み、
該電源制御ユニットは該マイクロコントローラーに接続し、
該モジュレーターは該マイクロコントローラーに接続し、
該デモジュレーターは該マイクロコントローラーに接続し、
該アンテナは該モジュレーターと該デモジュレーターに連接することを特徴とする請求項１０記載の広告装置。
【請求項１４】
前記マイクロコントローラーはエンコードユニットとデコードユニットを含み、
該エンコードユニットは該モジュレーターに連接し、
該デコードユニットは該デモジュレーターに連接することを特徴とする請求項１３記載の広告装置。
【請求項１５】
前記ディスプレーパネルが表示する該広告内容情報と該電子タグ中の該タグ情報は同期に更新されることを特徴とする請求項１０記載の広告装置。
【請求項１６】
前記使用者は携帯式装置を通して該電子タグ情報を読み取ることを特徴とする請求項１０記載の広告装置。
【請求項１７】
前記携帯式装置は通信ユニット、リーダーモジュールを含み、
該通信ユニットはインターネットに連結することができ、
該リーダーモジュールは該電子タグ内部の該電子タグ情報を読み取ることができ、該電子タグ情報を該通信ユニットに伝送することを特徴とする請求項１６記載の広告装置。
【請求項１８】
前記通信ユニットは電子タグ情報により、インターネットを通して該広告内容情報に対応する関連データをダウンロードすることを特徴とする請求項１７記載の広告装置。
【発明の詳細な説明】
【技術分野】
【０００１】
本発明はの広告装置に関する。特に広告内容情報と広告内容情報に対応する電子タグ情報(tag information)を動態更新可能な電子タグで、使用者が広告内容情報をさらに詳しく理解したい場合には、電子タグ情報を通して即時に対応する関連情報をダウンロードすることができる広告装置に係る。
【背景技術】
【０００２】
科学技術の進歩に従い、広告の形態も多様化している。テレビ或いはラジオを広告の媒介とするほか、広告看板、液晶スクリーン看板、インタラクティブ式マルチメディア情報ステーション(KIOSK)、広告ウィンドウなどの広告装置も急速に発展しており、業者により多くの販促の機会を提供している。
【０００３】
図１は公知の広告装置の指示図である。図１に示すように、公知の広告装置１００は、往来する人の目に付くように、一般に公共の施設の壁面上に固定されている。該広告装置１００は広告垂れ幕１１０と電子タグ１２０を含む。該広告垂れ幕１１０には特定の広告内容が描かれ、該電子タグ１２０はこの広告内容に対応する電子タグ情報を記録する。使用者が広告内容に興味があり、関連情報をさらに詳しく知りたい場合には、リーダーモジュール５２を内蔵する携帯電話端末５０を利用し、電子タグ１２０内の電子タグ情報を読み取ることができる。
【０００４】
しかし、この種の広告装置１００の広告内容は通常は即時更新はできず、一般には数ヶ月に一度の更新に過ぎない。しかも一度に一種の広告内容しか販促することができず、利用率は芳しくない。
【０００５】
この他、公知の技術はブルートゥース通信設備により通信を行うが、ブルートゥース通信設備は双方向コミュニケーションを行う前に、複雑な通信設定を行う必要があり、使用において不便である。さらに、ブルートゥース通信設備の各メーカーの相互通信標準が統一されておらず、ブルートゥース通信の困難性を拡大している。
【発明の開示】
【発明が解決しようとする課題】
【０００６】
本発明が解決しようとする第一の課題は、リーダーを内蔵し、電子タグに記録する電子タグ情報を更新し、これにより使用者は広告製品に関する情報を即時に得ることができる。
【０００７】
本発明が解決しようとする第二の課題は、回路模擬電子タグを利用し、伝送装置を通して電子タグ情報を即時更新可能で、これにより使用者は広告製品に関する情報を即時に得ることができる広告装置を提供することである。
【０００８】
上記課題を解決するため、本発明は下記の広告装置を提供する。
それは主にコントローラー(controller)、ディスプレーパネル、リーダー(reader)、電子タグ(tag)を含み、
該コントローラーは広告内容情報とそれが対応する電子タグ情報を同時に受信することができ、該電子タグ情報は該特定の広告内容情報に対応し、
該ディスプレーパネルは該コントローラーから広告内容情報を受信し、広告内容情報を表示することができ、
該リーダーは該コントローラーから電子タグ情報を受信し、該電子タグ情報を電子タグに書き込むことができる。
【０００９】
またそれはコントローラー、ディスプレーパネル、タグエミュレーター(tag emulator)を含み、
該コントローラーは広告内容情報とそれが対応する電子タグ情報を受信することができ、該ディスプレーパネルは該コントローラーから広告内容情報を受信し、広告内容情報を表示することができ、
該タグエミュレーターは該電子タグ情報を該コントローラーから受信し、保存することができ、該タグエミュレーターは実体回路によりタグ動作をシュミレートし、携帯式リーダーとコミュニケーションを取ることができる。
【００１０】
本発明の実施例において、上記の電子タグは主動電子タグ(Active Tag)或いは受動電子タグ(Passive Tag)である。
【００１１】
本発明の実施例において、上記の電子タグ情報は電子タグID(tag ID)、リンクパラメーター(link parameter)、位置ID(position ID）を含む。
【００１２】
本発明の実施例において、上記のコントローラーが広告内容情報と電子タグ情報を受信する方式は、デジタル放送(digital broadcast)、無線点対点伝送、実体メモリ(physical memory)、或いはインターネットである。
【００１３】
本発明の実施例において、上記のリーダーはRFID(radio frequency identification)リーダーで、しかも該電子タグはRFIDタグで、該電子タグは該リーダーと860~928MHzの超高周波(UHF)無線電波などにより情報を相互伝送し、また該電子タグと該リーダーは125~1348MHzの低周波(LF)、13・56 MHzの高周波(HF)、或いは433 MHzの超高周波の無線電波、或いは2.4GHzのマイクロ波によっても情報を伝送することもできる。
【００１４】
本発明の実施例において、上記のタグエミュレーターはマイクロコントローラー(micro-controller)、電源コントローラー、モジュレーター、デモジュレーター、アンテナを含み、該電源コントローラー、該モジュレーター、該デモジュレーターはすべて該マイクロコントローラーに接続し、該アンテナは該モジュレーターと該デモジュレーターに接続し、該マイクロコントローラーはエンコードユニットとデコードユニットを備え、該エンコードユニットと該デコードユニットはそれぞれ該モジュレーターと該デモジュレーターに接続する。
【００１５】
本発明の実施例において、上記の電子タグ情報は使用者により携帯式装置を通して読み取られ、該携帯式装置は通信ユニットとリーダーモジュール(reader module)を含み、該通信ユニットはインターネットに連結し、該リーダーモジュールは電子タグ内部或いはタグエミュレーター中の電子タグ情報を読み取ることができ、該電子タグ情報を通信ユニットに伝送し、該通信ユニットは該電子タグ情報によりインターネットを通して広告内容情報に対応する関連データをダウンロードすることができる。
【００１６】
本発明の実施例において、該通信ユニットのインターフェースはブルートゥース或いは他の通信インターフェースで、データサーバに連接する。
【００１７】
上記のように、本発明の広告装置では、ディスプレーパネルが異なる広告内容情報を表示する時、電子タグ或いはタグエミュレーター内の電子タグ情報も同期に更新される。また使用者がある特定の広告内容情報に対して興味を持ち、さらに詳細な情報を得たいと考えるなら、携帯式装置を通して対応する電子タグ情報を即時に読み取ることができる。さらに電子タグ情報内の連結情報を利用し、インターネットあるいは他の通信設備に連結し、該広告内容情報の詳細な内容をダウンロードすることもできる。
【００１８】
本発明の上記及び他の目的、特徴、長所を明確にするため、以下に実施例に図示を合わせ詳細な説明を行う。
【課題を解決するための手段】
【００１９】
請求項１の発明は、コントローラー、ディスプレーパネル、リーダー、電子タグを含み、該コントローラーは広告内容情報とそれが対応する電子タグ情報を同時に受信することができ、
該ディスプレーパネルは該コントローラーから該広告内容情報を受信し、該広告内容情報を表示することができ、
該リーダーは該コントローラーからの電子タグ情報を受信し、該電子タグ情報を電子タグに書き込むことができることを特徴とする広告装置としている。
請求項２の発明は、前記電子タグ情報は電子タグIDとリンクパラメーターを含むことを特徴とする請求項１記載の広告装置としている。
請求項３の発明は、前記コントローラーが該広告内容情報と該電子タグ情報を受信する方式は、デジタル放送、無線点対点伝送、或いはインターネットであることを特徴とする請求項１記載の広告装置としている。
請求項４の発明は、前記リーダーはRFIDリーダーで、しかも該電子タグはRFID電子タグであることを特徴とする請求項１記載の広告装置としている。
請求項５の発明は、前記電子タグと該リーダーは無線電波で相互に情報を伝送することを特徴とする請求項４記載の広告装置としている。
請求項６の発明は、前記ディスプレーパネルが表示する該広告内容情報と該電子タグ中の該タグ情報は同期に更新されることを特徴とする請求項１記載の広告装置としている。
請求項７の発明は、前記使用者は携帯式装置を通して該電子タグ情報を読み取ることを特徴とする請求項１記載の広告装置としている。
請求項８の発明は、前記携帯式装置は通信ユニット、リーダーモジュールを含み、
該通信ユニットはインターネットに連結することができ、
該リーダーモジュールは該電子タグ内部の該電子タグ情報を読み取ることができ、該電子タグ情報を該通信ユニットに伝送することを特徴とする請求項７記載の広告装置としている。
請求項９の発明は、前記通信ユニットは電子タグ情報により、インターネットを通して該広告内容情報に対応する関連データをダウンロードすることを特徴とする請求項８記載の広告装置としている。
請求項１０の発明は、コントローラー、ディスプレーパネル、タグエミュレーターを含み、
該コントローラーは広告内容情報とそれが対応する電子タグ情報を同時に受信することができ、
該ディスプレーパネルは該コントローラーから該広告内容情報を受信し、該広告内容情報を表示することができ、
該タグエミュレーターは該電子タグ情報を該コントローラーから受診し、保存することができることを特徴とする広告装置としている。
請求項１１の発明は、前記電子タグ情報は電子タグIDとリンクパラメーターを含むことを特徴とする請求項１０記載の広告装置としている。
請求項１２の発明は、前記コントローラーが該広告内容情報と該電子タグ情報を受信する方式は、デジタル放送、無線点対点伝送、或いはインターネットであることを特徴とする請求項１０記載の広告装置としている。
請求項１３の発明は、前記タグエミュレーターはマイクロコントローラー、電源制御ユニット、モジュレーター、デモジュレーター、アンテナを含み、
該電源制御ユニットは該マイクロコントローラーに接続し、
該モジュレーターは該マイクロコントローラーに接続し、
該デモジュレーターは該マイクロコントローラーに接続し、
該アンテナは該モジュレーターと該デモジュレーターに連接することを特徴とする請求項１０記載の広告装置としている。
請求項１４の発明は、前記マイクロコントローラーはエンコードユニットとデコードユニットを含み、
該エンコードユニットは該モジュレーターに連接し、
該デコードユニットは該デモジュレーターに連接することを特徴とする請求項１３記載の広告装置としている。
請求項１５の発明は、前記ディスプレーパネルが表示する該広告内容情報と該電子タグ中の該タグ情報は同期に更新されることを特徴とする請求項１０記載の広告装置としている。
請求項１６の発明は、前記使用者は携帯式装置を通して該電子タグ情報を読み取ることを特徴とする請求項１０記載の広告装置としている。
請求項１７の発明は、前記携帯式装置は通信ユニット、リーダーモジュールを含み、
該通信ユニットはインターネットに連結することができ、
該リーダーモジュールは該電子タグ内部の該電子タグ情報を読み取ることができ、該電子タグ情報を該通信ユニットに伝送することを特徴とする請求項１６記載の広告装置としている。
請求項１８の発明は、前記通信ユニットは電子タグ情報により、インターネットを通して該広告内容情報に対応する関連データをダウンロードすることを特徴とする請求項１７記載の広告装置としている。
【発明の効果】
【００２０】
本発明は周知の往復式発電モジュールに較べて、以下のような長所を有している。
１．本発明は磁石を相互に排斥するように積み重ね、コイルも逆方向に巻回してなる構造であり、ゆえに磁柱とコイルの相対往復移動の過程で、複数の電圧ピーク値を発生し、相対移動量が小さい発電装置に適合する。本発明は二つ以上の磁石を積み重ね（好ましくは三つ以上の奇数個の磁石を積み重ねる）、もともとは長距離であった磁束経路を改変し、磁極間の距離を縮小し、表面磁束密度を増し、これにより出力するエネルギー密度を高める。
２．一般にモーターのコイルには多極直列巻回方式が採用され、各巻線の中間には空口面積があり、巻回密度が比較的低く、ミニタイプの往復式発電機設計上はこのような捲線配置は達成しにくい。本発明は正逆回転するように直列式に巻き付けられるコイルにより最高の巻回密度を達成し、各コイルの誘導起電力は位相同期であり、コイルを直列に接続追加することができ、簡単で信頼できる。
３．等方性磁石は磁束強度が比較的弱く、もし等方性磁石を採用して注意深く充磁して本発明に類似の磁束経路を形成しようとしても、はっきりとはエネルギー密度をアップできない。本発明は異方性磁石を相互排斥するよう配列した積み重ね方式により最良の磁束分布を形成し、磁石とコイルが相対移動する時に、コイルに対して最良の切り割り効果を有する。
【発明を実施するための最良の形態】
【００２１】
本発明実施例の広告装置のブロックチャートである図２に示すように、本発明の広告装置２００はコントローラー２１０、ディスプレーパネル２２０、リーダー２３０、電子タグ２４０を含む。
該ディスプレーパネル２２０と該リーダー２３０は該コントローラー２１０にそれぞれ連接する。該コントローラー２１０は外界からの広告内容情報６２及び電子タグ情報６４を同時に受信するために用いる。
【００２２】
該広告内容情報６２は製品販促、イベント紹介、或いは映画宣伝などで、広告主が大衆に広めようとする情報内容である。特定の電子タグ情報６４は特定の広告内容情報６２に対応する。
該広告内容情報６２は絶えず更新されるが、該各特定の広告内容情報６２にはすべて対応する電子タグ情報６４が存在する。すなわち、特定の広告内容情報６２と該電子タグ情報６４は一組の組合せである。よって、該コントローラー２１０がこれら情報を受信する時には、一組の組合せを単位として受信を行う。
【００２３】
上記のように、該コントローラー２１０は広告内容情報６２と電子タグ情報６４をそれぞれ該ディスプレーパネル２２０及び該リーダー２３０に伝送する。これにより該ディスプレーパネル２２０は広告内容情報６２を表示することができ、該リーダー２３０は電子タグ情報６４を該電子タグ２４０に書き込むことができる。こうして広告内容情報６２の内容が更新されると同時に、該電子タグ２４０内部に記録される電子タグ情報６４も同期に更新される。
【００２４】
本発明の広告装置２００は多種の異なる形態を呈することができる。例えば、広告装置２００は平面広告看板、液晶スクリーン広告看板、インタラクティブマルチメディア情報ステーション、大型戸外看板、トラベルインフォメーション、ショッピングインフォメーション、広告ウィンドウなどであるが、広告装置２００はこれらに限定するものではない。さらには、該広告装置２００は一般家庭用テレビ、或いはテレビショッピングとすることもでき、番組がコマーシャルの時間になると、電子タグ情報６４も広告内容情報６２と同期に更新される。
【００２５】
この他、該ディスプレーパネル２２０が表示する広告内容情報６２は、往来する人に見てもらうため、静態或いは動態広告とすることができる。ある使用者が(図示なし)、その時点で放送されている広告内容情報６２に興味を持ったなら、使用者は携帯式装置７０を通して電子タグ情報６４を読み取り、該広告内容情報６２に関するより多くの情報を即時に得ることができる。すなわち、携帯式装置７０はリーダーモジュール７２を内蔵し、該リーダーモジュール７２は該電子タグ２４０内部の電子タグ情報６４を読み取ることができる。また、使用者は該電子タグ情報６４を該携帯式装置７０中にダウンロードし、該広告内容情報６２のより多くの情報を同期に得ることができる。
【００２６】
本発明は電子タグ情報６４の内容を限定するものではない。本実施例中では、電子タグ情報６４の内容は広告内容情報６２のすべての内容を含み、さらにはより多くの商品情報、特別価格などの関連説明を付加することもできる。
【００２７】
この他、電子タグ２４０とリーダー２３０は、RFID(radio frequency identification)技術中のペア(pair)などを応用し、リーダー２３０はRFIDリーダーで、しかも電子タグはRFIDタグ２４０である。該電子タグ２４０と該リーダー２３０は860~928MHzの超高周波(UHF)無線電波により情報を相互伝送する。またリーダーモジュール７２と電子タグ２４０もまた超高周波無線電波により情報を相互伝送する。
【００２８】
上記のように、電子タグ２４０とリーダーモジュール７２(或いはリーダー２３０)は、9~135KHzの低周波、13.56 MHzの高周波、300~1200 MHzの超高周波、或いは2.45GHzのマイクロ波などの他の周波数の無線電波によっても情報を伝送することができる。周波数が異なれば、電子タグ２４０とリーダーモジュール７２が作用可能な距離も異なる。通常は10数cmから10数mまでで、しかも周波数が異なれば使用する通信プロトコルも異なる。該項技術の習熟者は実際の必要に応じて、適当な周波数を選択し設計を行うことができる。
【００２９】
RFID技術はデータ伝送の速度が比較的遅く、しかもデータ容量は比較的少ないため、本発明はさらに電子タグ情報６４の内容を簡単にし、使用者が広告内容情報６２を得る速度を加速する。すなわち、本発明の一つの特徴は、先ずRFID技術の連結が早いという特性を利用し、高速であるが連結プロセスが比較的複雑な通信インターフェースの触発メカニズムとし、完全でより豊富な関連情報を得ることができるようにする。この他、これら高速の通信インターフェースはWi-Fi、ブルートゥース(Bluetooth)、GPRSなどである。
【００３０】
本実施例中では、電子タグ情報６４は電子タグID及びリンクパラメーターを含む。該電子タグIDは特定の広告内容情報６２に対応する符号コードで、該リンクパラメーターは該広告内容情報６２に対応するアドレスである。該電子タグIDと該リンクパラメーターにより、使用者はインターネットに連結することができ、さらに詳細な関連情報を得ることができる。つまり、該特定の広告内容情報６２が観光ガイド情報である時、電子タグ情報６４は位置IDを含み、該位置IDは観光スポット、レストラン、展覧室の位置、或いは地点に関する情報である。
【００３１】
図２に示すように、使用者の操作プロセスをさらに簡単にするため、携帯式装置７０は通信ユニット７４を含む。該通信ユニット７４は該リーダーモジュール７２と連接し、しかもインターネットに接続することができる。該リーダーモジュール７２は該電子タグ２４０から電子タグ情報６４を読み取る時、該電子タグ情報６４を該通信ユニット７４に伝送する。該通信ユニット７４は該電子タグ情報６４中の電子タグID、リンクパラメーター、位置IDなどのパラメーターにより、インターネットを通して広告内容情報６２に関連するデータをダウンロードする。以下に、インターネットを通して行うダウンロードを例として、データのダウンロードを説明するが、本発明はブルートゥース、或いは他の通信インターフェースを通してデータサーバーに直接連結することができる(すなわち、インターネットを経由する必要はない)。
【００３２】
本実施例中では、該携帯式装置７０は携帯電話端末或いはPDA(Personal Digital Assistant)などである。該携帯式装置７０はアクセスポイント(図示なし)を通して初めてインターネットに連結することができ、しかも該携帯式装置７０はWi-Fi、Wi-Max、ブルートゥース(Bluetooth)、GPRS(General Packet Radio Service)、或いはGSM(Global System for Mobile Communication)などの方式を通してアクセスポイントと伝送を行う。上記の通信インターフェースはすべて高速伝送インターフェースであるため、使用者が広告内容情報６２の関連データを得るまでにかかる時間を大幅に短縮することができる。
【００３３】
さらに、本発明はRFID技術及び電子タグ情報６４中のパラメーターを通して連結プロセスを行うことができる。こうして、連結のプロセスをさらに簡単にし、また連結するまでの時間を短縮することができ、使用者は即時に同期で広告内容情報６２の関連データを得ることができる。
【００３４】
詳細に説明すれば、使用者が得る広告内容情報６２の関連データはバリューサービス、より詳細な製品情報、割引のパスワード、オンライン視聴のリスト、観光スポット情報、音声ガイド、或いはモバイルショッピングなどである。上記のある関連情報は時効があるものであるため、本発明の広告装置２００は広告内容情報６２を動態更新し、使用者に即時の関連情報を提供することができる。使用者はさらに進んだ情報を得た後、携帯式装置７０を通して直接オンラインでチケットを予約し、或いはオンラインで買うことができる。この方式は、使用者の利便性を大幅に向上させることができ、また広告全体の販促効果を大幅に高めることができる。
【００３５】
さらに、該コントローラー２１０は無線或いは有線インターネット、点対点伝送、実体メモリ、デジタル放送を通して、広告内容情報６２及び電子タグ情報６４を受信することができる。内、各広告内容情報６２の長さは数分から数十分まで様々である。こうして、広告装置２００は異なる製品の広告を持続して流すことができ、道行く人に見せることができる。特に、広告装置２００の前に留まっている人達においては、多くの様々な広告を見せることができる。この他、広告主にとっては、顧客群の構造に基づき、広告を流す時間帯を適当に選択することができるため、最良の販促効果を達成することができる。
【００３６】
本発明別種の実施例の広告装置のブロックチャートである図３に示すように、本実施例の広告装置３００と前記の広告装置２００(図２に参照)は相似している。その差異点は、本実施例ではタグエミュレーター３１０が広告装置２００中のリーダー２３０と電子タグ２４０の代わりをすることである。該タグエミュレーター３１０は電子タグ情報６４を該コントローラー２１０から受信し、保存することができる。この他、携帯式装置７０のリーダーモジュール７２は該タグエミュレーター３１０中の電子タグ情報６４を読み取ることができる。
【００３７】
図３のタグエミュレーターのブロックチャートである図４と図３に示すように、本実施例のタグエミュレーター３１０はマイクロコントローラー３１１、電源制御ユニット３１２、モジュレーター３１３、デモジュレーター３１４、アンテナ３１５を含む。
該電源制御ユニット３１２、該モジュレーター３１３、該デモジュレーター３１４はすべて該マイクロコントローラー３１１に接続する。該アンテナ３１５は該モジュレーター３１３と該デモジュレーター３１４に連接する。この他、該マイクロコントローラー３１１はエンコードユニット３１１aとデコードユニット３１１bを備え、該エンコードユニット３１１aと該デコードユニット３１１bはそれぞれ該モジュレーター３１３と該デモジュレーター３１４に連接する。
【００３８】
該電源制御ユニット３１２は主に該マイクロコントローラー３１１に電力を供給し、該マイクロコントローラー３１１は電子タグ情報６４を該コントローラー２１０から受信し、保存することができる。
携帯式装置７０のリーダーモジュール７２が読み取り請求信号を発送する時、この信号(電磁波)は該アンテナ３１５に受信され、該デモジュレーター３１４と該デコードユニット３１１bを通して、デコードし該マイクロコントローラー３１１に伝送する。続いて、該マイクロコントローラー３１１は該電子タグ情報６４を該エンコードユニット３１１aと該モジュレーター３１３を通して、エンコードし該アンテナ３１５に伝送する。こうして電磁波の形式で電子タグ情報６４をリーダーモジュール７２に伝送する。
【００３９】
詳細に言えば、該タグエミュレーター３１０は主動電子タグ(Active Tag)to受動電子タグ(Passive Tag)の動作をシュミレートし、該リーダーモジュール７２と通信を行うことができる。該通信プロトコルは標準規格に符合するものである。
【００４０】
この他、該アンテナ３１５の設計は、RFIDの通信周波数と広告システムの応用状況に応じて修正することができる。超高周波(UHF)である時には、アンテナはDipole、Monopole、Microstrip、Patchなどで、しかも高周波(HF)、低周波(LF)である時には、感知式コイルをアンテナとする。さらに、該タグエミュレーター３１０の通信プロトコルは現行の標準RFID通信プロトコル或いは独立システムに符合することができる。
【００４１】
注意を要する点は、前記のタグエミュレーター３１０の詳細構成部品は例に過ぎず、本発明を限定するものではない。電子タグ情報６４の保存に用いることができ、リーダーモジュール７２により読み取られる装置はすべて、本発明のタグエミュレーター３１０と同様に見なす。該項技術の習熟者は前記説明を参考に、タグエミュレーター３１０の細部の構成部品に修正を加えることができるが、それらもすべて本発明の保護範囲とする。
【００４２】
上記のように、本発明広告装置は以下のような長所を備える。
1.ディスプレーパネルが異なる広告内容情報を表示する時、電子タグ或いはタグエミュレーター内の電子タグ情報も同期に更新されるため、使用者はこの広告内容情報に関連する情報を同期に即時に得ることができる。
2.使用者は携帯式装置を通して電子タグ情報を読み取り、この広告内容情報の詳細説明を得ることができる。さらに、使用者はまた電子タグ情報内のリンク情報を利用し、インターネットに接続し、この広告内容情報の詳細な内容をダウンロードすることができる。
3.使用者が進んだ情報を得た後、携帯式装置を通して直接オンラインでチケットを予約し、或いはオンラインで買うことができる。この方式は、使用者の利便性を大幅に向上させることができ、また広告全体の販促効果を大幅に高めることができる。
【図面の簡単な説明】
【００４３】
【図１】公知の広告装置の概略図である。
【図２】本発明実施例の広告装置のブロックチャートである。
【図３】本発明別種の実施例の広告装置のブロックチャートである。
【図４】図３のタグエミュレーターのブロックチャートである。
【符号の説明】
【００４４】
５０  携帯電話端末
５２  リーダーモジュール
６２  広告内容情報
６４  電子タグ情報
７０  携帯式装置
７２  リーダーモジュール
７４  通信ユニット
１００  広告装置
１１０  広告垂れ幕
１２０  電子タグ
２００  広告装置
３００  広告装置
２１０  コントローラー
２２０  ディスプレーパネル
２３０  リーダー
２４０  電子タグ
３１０  タグエミュレーター
３１１  マイクロコントローラー
３１１a  エンコードユニット
３１１b  デコードユニット
３１２  電源制御ユニット
３１３  モジュレーター
３１４  デモジュレーター
３１５  アンテナ
【図１】
2009157332.tif 000003
【図２】
2009157332.tif 000004
【図３】
2009157332.tif 000005
【図４】
2009157332.tif 000006